(57)【要約】【課題】収容液体を器体外へ導出する際の液体の飛び跳ねを抑えた電気湯沸かし器を提供することを目的とする。【解決手段】器体１内に設けた液体３を収容する有底状の容器２と、容器２内の液体３を加熱する発熱体４と、一方を容器２の下部に連通させた吐出経路６と、吐出経路６の他方に連通させて器体１外へ液体３を導出する吐出ケース７と、吐出ケース７の途中に設けた混入器８とを有し、液体３を吐出時に気体９を混入することによって、泡沫状態の流れを創出し、吐出時の湯の飛び跳ねを抑え、液体３の流れを改善できる。【選択図】  図１
2004357840.tif 000002
【特許請求の範囲】
【請求項１】
器体内に設けた液体を収容する容器と、前記容器内の液体を加熱する発熱体と、前記容器の下部に連通させ容器内の液体を吐出させる吐出経路と、前記吐出経路に連通させて前記器体外へ液体を導出する吐出ケースとを備えるとともに、前記器体外へ導出する液体に前記吐出ケース内において気体を混入するようにした電気湯沸かし器。
【請求項２】
吐出ケースの途中に、液体の流れによって気体を吸引する混入器を設け、導出する液体に気体を混入する請求項１に記載の電気湯沸かし器。
【請求項３】
吐出ケースの途中に気体ポンプを接続し、導出する液体に気体を混入する請求項１に記載の電気湯沸かし器。
【請求項４】
吐出ケースには、機体の転倒や傾斜時に液体の流出を防止する流出防止弁を設け、この流出防止弁の設置位置は、気体を混入する箇所に対して吐出経路側とした請求項１〜３のいずれか１項に記載の電気湯沸かし器。
【請求項５】
導出する液体に混入する気体は、液体を収容する容器内の上方より取り入れた請求項１〜４のいずれか１項に記載の電気湯沸かし器。
【請求項６】
導出する液体に混入する気体の気体経路の途中に容器内の液体の流出を防止する逆止弁を設けた請求項５に記載の電気湯沸かし器。
【請求項７】
導出する液体に混入する気体は、器体外より取り入れた請求項１〜４のいずれか１項に記載の電気湯沸かし器。
【発明の詳細な説明】
【０００１】
【発明の属する技術分野】
本発明は、収容液体を器体外へ導出する際の液体の飛び跳ねを抑えた電気湯沸かし器に関するものである。
【０００２】
【従来の技術】
従来、電気湯沸かし器において、収容液体を器体外へ導出するには、ポンプを駆動して液体を吐出させるものが一般的である（例えば、特許文献１参照）。
【０００３】
【特許文献１】
特開平９−３１３３５０号公報
【０００４】
【発明が解決しようとする課題】
しかしながら、前記従来の電気湯沸かし器では、液体の吐出時に高温の液体が飛び跳ねるため、液体の流れを改善することが望まれている。
【０００５】
本発明は、前記従来の課題を解決するものであり、液体の吐出時に高温の液体が飛び跳ねないように液体の流れを改善した電気湯沸かし器を提供することを目的としている。
【０００６】
【課題を解決するための手段】
前記目的を達成するために、本発明の電気湯沸かし器は、器体外へ導出する液体に吐出ケース内において気体を混入するようにしたものである。
【０００７】
これにより、液体の器体外への導出において、泡沫状態の流れを創出することができ、液体の飛び跳ねを抑えてその流れを改善することができる。
【０００８】
【発明の実施の形態】
請求項１に記載の発明は、器体内に設けた液体を収容する容器と、前記容器内の液体を加熱する発熱体と、前記容器の下部に連通させ容器内の液体を吐出させる吐出経路と、前記吐出経路に連通させて前記器体外へ液体を導出する吐出ケースとを備えるとともに、前記器体外へ導出する液体に前記吐出ケース内において気体を混入するようにした電気湯沸かし器とすることにより、液体の器体外への導出において、泡沫状態の流れを創出することができ、液体の飛び跳ねを抑え、その流れを改善することができる。
【０００９】
請求項２に記載の発明は、吐出ケースの途中に、液体の流れによって気体を吸引する混入器を設け、導出する液体に気体を混入する請求項１に記載の電気湯沸かし器とすることにより、液体の器体外への導出において、混入器は液体の流れで発生する負圧により気体を吸引し、泡沫状態の流れを創出することができ、液体の飛び跳ねを抑え、その流れを改善することができる。
【００１０】
請求項３に記載の発明は、吐出ケースの途中に気体ポンプを接続し、導出する液体に気体を混入する請求項１に記載の電気湯沸かし器とすることにより、液体の器体外への導出において、気体ポンプを動作させることによって、液体に混入する気体の量を安定させることができるため、吐出時の液体の量に依存せずに泡沫状態の流れを創出することができ、液体の飛び跳ねを抑え、その流れを改善することができる。
【００１１】
請求項４に記載の発明は、吐出ケースには、機体の転倒や傾斜時に液体の流出を防止する流出防止弁を設け、この流出防止弁の設置位置は、気体を混入する箇所に対して吐出経路側とした請求項１〜３のいずれか１項に記載の電気湯沸かし器とすることにより、液体の器体外への導出において、泡沫状態の流れを創出することができるとともに、機体の転倒や傾斜時に液体の流出を防止することができる。
【００１２】
請求項５に記載の発明は、導出する液体に混入する気体は、液体を収容する容器内の上方より取り入れた請求項１〜４のいずれか１項に記載の電気湯沸かし器とすることにより、液体の器体外への導出において、泡沫状態の流れを創出することができるとともに、ゴミや埃などの異物、不純物の液体への混入を防止することができる。
【００１３】
請求項６に記載の発明は、導出する液体に混入する気体の気体経路の途中に容器内の液体の流出を防止する逆止弁を設けた請求項５に記載の電気湯沸かし器とすることにより、請求項５に記載の発明の効果に加え、機体の転倒や傾斜時に逆止弁の作用で液体の流出を防止することができる。
【００１４】
請求項７に記載の発明は、導出する液体に混入する気体は、器体外より取り入れた請求項１〜４のいずれか１項に記載の電気湯沸かし器とすることにより、液体の器体外への導出において、泡沫状態の流れを創出することができるとともに、機体の転倒や傾斜時に液体の流出を防止する逆止弁が不要となる。
【００１５】
【実施例】
以下、本発明の実施例について、図面を参照しながら説明する。
【００１６】
（実施例１）
図１は、本発明の実施例１における電気湯沸かし器を示すものである。
【００１７】
図において、１は電気湯沸かし器の器体、２は器体１内に設けた液体３を収容する有底状の容器、４は容器２の底面裏側に固着した容器２内の液体３を加熱する発熱体、５は液体ポンプ、６は液体ポンプ５を介して一方を容器２の下部に連通させ器体１外へ液体３を導出する吐出経路、７は吐出経路６に連通させて器体１外へ液体３を導出する吐出ケース、８は吐出ケース７の途中に設けた器体１外へ導出する液体３の流れによって気体９を吸引し液体３に混入させる混入器である。１０は容器２の外側面に円筒状に巻き付けた真空断熱材、１１は容器２の上方開口部を覆う蓋体、１２は蓋体１１の内部に設けた断熱材、１３は吐出ケース７内に設け機体１の転倒や傾斜時に液体３の流出を防止する流出防止弁であり、この流出防止弁１３は混入器８に対して吐出経路６側に設けている。１４は混入器８に設けた気体流出口、１５は一方を気体流出口１４に連通させた気体流出経路、１６は気体流出経路１５の他方に連通させて容器２の上部空間に貫通するように設けた気体流入口、１７は機体１の転倒や傾斜時に容器２内の液体３が混入器８に流出することを防止する逆止弁であり、気体流出経路１５内に設けている。
【００１８】
以上のように構成された電気湯沸かし器の動作、作用について説明する。
【００１９】
蓋体１１を開けて容器２に液体（水）３を給水して湯沸かしを開始すると、発熱体４への通電を開始し、液体３を加熱する。沸騰後、液体３を一定温度で保温する。液体（お湯）３を使いたい時には、吐出ボタン（図示せず）を操作すると、液体ポンプ５が動作して容器２内に収容された液体３が吐出経路６、吐出ケース７を経由して、器体１外へ導出される。このとき、吐出ケース７の途中に設けた混入器８は、器体１外へ導出する液体３の流れによって気体９を吸引し液体３に混入される。ここで、混入される気体９は容器２内の空気であり、容器２の上部に貫通するように設けた気体流入口１６から気体流出経路１５を経て、混入器８に設けた気体流出口１４から混入される。
【００２０】
また、機体１の転倒や傾斜時には、容器２内の液体３は吐出ケース７内に設けた流出防止弁１３により流出が防止されるとともに、気体流出経路１５内に設けた逆止弁１７により混入器８から器体１外へ流出することを防止する。
【００２１】
液体３を吐出させると混入器８は液体３の流れで発生する負圧により、容器２内の気体９を吸引し液体３に混入することによって、泡沫状態の流れを創出して吐出時の液体（お湯）の飛び跳ねを抑え、液体３の流れを改善できるとともに、機体１の転倒や傾斜時に液体３の流出を防止することができる。また、気体流入口１６が容器２内と連通しているため、混入される気体９にゴミや埃などの異物、不純物が含まれず、液体３への混入を防止することができる。
【００２２】
（実施例２）
図２は、本発明の実施例２における電気湯沸かし器を示すものである。
【００２３】
本実施例において、実施例１と異なるところは、気体流出経路１５の他方に連通させて器体１を貫通するように設けた気体流入口１６を設け、混入される気体９を器体１外から取り入れていることである。他は実施例１と同じである。
【００２４】
以上のように構成された電気湯沸かし器について、以下、実施例１の動作、作用と異なるところを説明する。混入される気体９は器体１外の空気であり、器体１を貫通するように設けた気体流入口１６から気体流出経路１５を経て、混入器８に設けた気体流出口１４から混入される。
【００２５】
これによって、機体１の転倒や傾斜時に液体３の流出を防止するための、実施例１における逆止弁１７を気体流出経路１５内に設けなくてもよいため、安価に構成できる。
【００２６】
（実施例３）
図３は、本発明の実施例３における電気湯沸かし器を示すものである。
【００２７】
本実施例において、実施例１と異なるところは、混入器８に代えて、吐出ケース７内を流れる液体３に気体９を混入する気体ポンプ１７を設けたことである。他は実施例１と同じである。
【００２８】
以上のように構成された電気湯沸かし器について、以下、実施例１の動作、作用と異なるところを説明する。液体（お湯）３を使いたい時には、吐出ボタン（図示せず）を操作すると、液体ポンプ５が動作して容器２内に収容された液体３が吐出経路６、吐出ケース７を経由して、器体１外へ導出される。このとき、気体ポンプ１７を動作させることによって気体９を液体３に混入させる。
【００２９】
吐出時に気体ポンプ１７を動作させることによって、液体３に混入する気体９の量を安定させることができるため、吐出時の液体３の量に依存せずに泡沫状態の流れを創出して吐出時の湯の飛び跳ねを抑え、液体３の流れを改善できる。すなわち、吐出時の液体３の流れで発生する負圧により気体９を吸引し液体３に混入する方式が不要である。この場合、実施例２のように、混入される気体９を器体１外から取り入れることであっても何ら構わない。
【００３０】
なお、上記した各実施例の構成は、必要に応じて適宜組み合わせることができるものであり、実施例そのものに限られるものではない。また、液体３に気体９を混入させるための手段として、混入器８および気体ポンプ１７を示したが、液体３に気体９を混入させ、泡沫状態の流れを創出する技術思想を満足するものであればこれらに限られるものではない。
【００３１】
【発明の効果】
以上のように、本発明の電気湯沸かし器は、器体外へ導出する液体に吐出ケース内において気体を混入するようにしたことにより、液体の器体外への導出において、泡沫状態の流れを創出することができ、液体の飛び跳ねを抑えてその流れを改善することができる。
【図面の簡単な説明】
【図１】本発明の実施例１を示す電気湯沸かし器の断面図
【図２】本発明の実施例２を示す電気湯沸かし器の断面図
【図３】本発明の実施例３を示す電気湯沸かし器の断面図
【符号の説明】
１  器体
２  容器
３  液体
４  発熱体
６  吐出経路
７  吐出ケース
８  混入器
９  気体
１３  流出防止弁
１４  気体流出口
１５  気体流出経路
１６  気体流入口
１７  逆止弁
１８  気体ポンプ
【図１】
2004357840.tif 000003
【図２】
2004357840.tif 000004
【図３】
2004357840.tif 000005